(57)【要約】【課題】着信情報を保存したサーバから同一グループに属する通信端末経由で圏外中の通信端末に着信情報を転送して、圏外中の通信端末宛の着信情報を可能な限りリアルタイムに伝達する。【解決手段】本発明の通信端末１００は、アドホック通信部として機能するアンテナ３００、ＷＬＡＮ信号処理部３１０、ＷＬＡＮプロトコル処理部３２０と、広域通信部として機能するアンテナ３３０、ＥＶ−ＤＯ信号処理部３４０、ＥＶ−ＤＯプロトコル処理部３５０と、記憶部３６０と、前記広域通信部において基地局より受信した着信情報（着信通知）が他通信端末宛の着信情報であった場合、当該着信情報を記憶部３６０に格納し、前記広域通信部による通信が不可能になった際に、記憶部３６０に前記他の通信端末宛の着信情報が格納されていれば、前記アドホック通信部により前記他の通信端末のサーチを実行するように制御する制御部３７０とを備える。【選択図】図２
2009111778.tif 000002
【特許請求の範囲】
【請求項１】
アドホック通信を行うアドホック通信部と、
基地局を介して通信を行う広域通信部と、
各種情報を記憶する記憶部と、
前記広域通信部において前記基地局より受信した着信情報が他の通信端末宛の着信情報であった場合、当該着信情報を前記記憶部に格納し、前記広域通信部による通信が不可能になった際に、前記記憶部に前記他の通信端末宛の着信情報が格納されているか否かを判定し、前記記憶部に前記他の通信端末宛の着信情報が格納されていれば、前記アドホック通信部により前記他の通信端末のサーチを実行するように制御する制御部と、を具備して成ることを特徴とする通信端末。
【請求項２】
前記サーチにより前記他の通信端末が見つかると、当該他の通信端末に前記記憶部に格納された前記他の通信端末宛の着信情報を前記アドホック通信部を介して送信することを特徴とする請求項１に記載の通信端末。
【請求項３】
前記サーチにより前記他の通信端末が見つかると、前記他の通信端末の識別情報を前記アドホック通信部を介して取得し、当該取得した識別情報と前記記憶部に格納された前記他の通信端末宛の着信情報に含まれる識別情報とが一致した場合、前記他の通信端末に前記記憶部に格納された前記他の通信端末宛の着信情報を前記アドホック通信部を介して送信することを特徴とする請求項２に記載の通信端末。
【請求項４】
アドホック通信を行うアドホック通信部と、
基地局を介して通信を行う広域通信部と、
着信情報を記憶する記憶部と、
前記アドホック通信部を介して他の通信端末から着信情報を受信した際に、当該受信した着信情報と同一の着信情報が前記記憶部に格納されていない場合には、新たな着信として当該着信情報に基づく着信通知を行う着信通知部と、を具備して成ることを特徴とする通信端末。
【請求項５】
前記アドホック通信部は、前記アドホック通信部を介して他の通信端末から着信情報を受信した際に、当該受信した着信情報と同一の着信情報が前記記憶部に格納されている場合には、当該着信情報に基づく着信通知を行わないことを特徴とする請求項４に記載の通信端末。
【請求項６】
複数の通信端末の識別情報をグループとして記憶する記憶部と、
呼制御サーバより所定の通信端末に対する着信失敗による着信情報を受信する受信部と、
呼制御サーバより着信情報を受信すると、当該着信情報の宛先通信端末の識別情報が前記記憶部に記憶されているか否かを判断し、前記着信情報の宛先通信端末の識別情報が前記記憶部に記憶されている場合、当該着信情報の宛先通信端末の識別情報が属するグループを構成する他の識別情報に対応する通信端末に対し、前記着信情報を送信するように制御する制御部と、を具備して成ることを特徴とするサーバ。
【発明の詳細な説明】
【技術分野】
【０００１】
本発明は、アドホック通信および広域通信を使用可能な通信端末、および、アドホック通信および広域通信を行うことができる通信端末の着信情報を管理するサーバに関するものである。
【背景技術】
【０００２】
ＣＤＭＡ２０００  １ｘ  ＥＶ−ＤＯ（以下、１ｘという）等の通信システムにおける圏外中の通信端末（移動機）への音声着信は、一般的に、以下のようになる。例えば図２０に示すように、通信端末１１０は基地局（ＢＳ）１３０に属し、通信端末１２０は基地局（ＢＳ）１４０に属し、キャリア網１４５には呼制御を司る呼制御サーバ（ＭＳＣ）１５０およびＳＭＳ（Short Message Service ）を扱うＳＭＳセンターサーバ１６０が存在する構成の通信システムにおいて、図２１に示すように、通信端末１２０が建物の地下等の圏外エリアにいる場合を想定する。
【０００３】
このとき、図２２の動作シーケンス図に示すように、通信端末１１０から通信端末１２０へ音声発信を行うと、当該音声発信は呼制御を司るＭＳＣ１５０に送信され、ＭＳＣ１５０が通信端末１２０が存在すると思われるＢＳ１４０経由で通信端末１２０に音声着信を実行すると、通信端末１２０は圏外であるため、ＭＳＣ１５０からの音声着信に応答せず、当該音声発信は失敗する。そのため、ＭＳＣ１５０は、音声着信があったことを示す着信通知をＳＭＳサービスを提供するＳＭＳセンターサーバ１６０に通知し、ＳＭＳセンターサーバ１６０は着信通知メッセージをＳＭＳで生成して、ＳＭＳデータベース（ＤＢ）に保存する。その後、通信端末１２０がＢＳ１４０の圏内（地上等）に復帰することによって、その圏内復帰を検出したＭＳＣ１５０がＳＭＳセンターサーバ１６０に音声着信があったことを示す着信通知のＳＭＳ送信指示を出すので、ＳＭＳによる着信通知を受信した通信端末１２０のユーザは、音声着信があったことを着信履歴表示によって知ることができる。
なお、通信システムにおける圏外中の通信端末の着信制御に関する従来技術としては、特許文献１に記載のものがある。
【特許文献１】特開２００５−１２２６５号公報
【発明の開示】
【発明が解決しようとする課題】
【０００４】
図２０に示す通信システムにおいて通信端末１２０が長時間圏外である場合、通信端末１２０が当該通信システムの圏内に復帰するまで、音声着信やメール着信があったことを当該通信端末のユーザに通知することができない。そのため、特に、通信端末を所持するユーザが緊急の連絡等を待っているような状況では、着信の有無を確認するために、定期的に圏内のエリアへ戻って着信可能な状態にする必要があるため、図２１に点線矢印で示すように圏外エリアと圏内エリアとの間を頻繁に往来することとなり、面倒であるとともに、圏外中の通信端末１２０のユーザは着信情報をリアルタイムで得ることができない。
【０００５】
本発明は、着信情報を保存したサーバから同一グループに属する通信端末経由で圏外中の通信端末に着信情報を送信（転送）することにより、圏外中の通信端末に対する着信情報を可能な限りリアルタイムに伝達する技術（通信端末およびサーバ）を提供することを目的とする。
【課題を解決するための手段】
【０００６】
上記目的を達成するため、本発明の請求項１に係る通信端末は、アドホック通信を行うアドホック通信部と、基地局を介して通信を行う広域通信部と、各種情報を記憶する記憶部と、前記広域通信部において前記基地局より受信した着信情報が他の通信端末宛の着信情報であった場合、当該着信情報を前記記憶部に格納し、前記広域通信部による通信が不可能になった際に、前記記憶部に前記他の通信端末宛の着信情報が格納されているか否かを判定し、前記記憶部に前記他の通信端末宛の着信情報が格納されていれば、前記アドホック通信部により前記他の通信端末のサーチを実行するように制御する制御部と、を具備して成ることを特徴とする。
【０００７】
上記本発明の請求項１に係る通信端末の好適例としては、前記サーチにより前記他の通信端末が見つかると、当該他の通信端末に前記記憶部に格納された前記他の通信端末宛の着信情報を前記アドホック通信部を介して送信すること、および、前記サーチにより前記他の通信端末が見つかると、前記他の通信端末の識別情報を前記アドホック通信部を介して取得し、当該取得した識別情報と前記記憶部に格納された前記他の通信端末宛の着信情報に含まれる識別情報とが一致した場合、前記他の通信端末に前記記憶部に格納された前記他の通信端末宛の着信情報を前記アドホック通信部を介して送信すること、がある。
【０００８】
上記目的を達成するため、本発明の請求項４に係る通信端末は、アドホック通信を行うアドホック通信部と、基地局を介して通信を行う広域通信部と、着信情報を記憶する記憶部と、前記アドホック通信部を介して他の通信端末から着信情報を受信した際に、当該受信した着信情報と同一の着信情報が前記記憶部に格納されていない場合には、新たな着信として当該着信情報に基づく着信通知を行う着信通知部と、を具備して成ることを特徴とする。
【０００９】
上記本発明の請求項４に係る通信端末の好適例としては、前記アドホック通信部は、前記アドホック通信部を介して他の通信端末から着信情報を受信した際に、当該受信した着信情報と同一の着信情報が前記記憶部に格納されている場合には、当該着信情報に基づく着信通知を行わないこと、がある。
【００１０】
上記目的を達成するため、本発明の請求項６に係るサーバは、複数の通信端末の識別情報をグループとして記憶する記憶部と、呼制御サーバより所定の通信端末に対する着信失敗による着信情報を受信する受信部と、呼制御サーバより着信情報を受信すると、当該着信情報の宛先通信端末の識別情報が前記記憶部に記憶されているか否かを判断し、前記着信情報の宛先通信端末の識別情報が前記記憶部に記憶されている場合、当該着信情報の宛先通信端末の識別情報が属するグループを構成する他の識別情報に対応する通信端末に対し、前記着信情報を送信するように制御する制御部と、を具備して成ることを特徴とする。
【発明の効果】
【００１１】
本発明によれば、着信情報を受信したサーバから同一グループに属する通信端末経由で圏外中の通信端末に当該着信情報を送信（転送）することにより、圏外中の通信端末に対する着信情報を可能な限りリアルタイムに伝達することができる。
【発明を実施するための最良の形態】
【００１２】
以下、本発明を実施するための最良の形態を図面に基づき詳細に説明する。
図１は本発明の第１実施形態の移動体通信システムのネットワーク構成を例示するブロック図である。本発明の移動体通信システムは、基地局（ＢＳ）１９０およびＢＳ１９０に属する通信端末（移動機）１６０と、基地局（ＢＳ）２００およびＢＳ２００に属する通信端末（移動機）１００および通信端末（移動機）１８０と、呼制御を司る呼制御サーバ（ＭＳＣ）２１０と、ＳＭＳを扱うＳＭＳセンターサーバ２２０と、通信端末の位置情報が登録されているロケーションサーバ（ＬＳ）２３０と、これらが存在するキャリア網２４０とから成る。なお、以下の説明においては、ＢＳ１９０に属する通信端末１６０が音声発信を行う通信端末であり、ＢＳ２００に属する通信端末１８０がその音声発信の相手側（着信側）の通信端末であるが建物の地下等の圏外エリアに存在し、ＢＳ２００に属する通信端末１００は圏内エリアに存在するものとする。
【００１３】
通信端末１００および通信端末１８０としては、図２のブロック図に示す構成のものを用いる。すなわち、通信端末１００および通信端末１８０は、アンテナ３００と、アンテナ３００に順次接続されるＷＬＡＮ信号処理部３１０およびＷＬＡＮプロトコル処理部３２０（以下、ＷＬＡＮ通信部という）と、アンテナ３３０と、アンテナ３３０に順次接続されるＥＶ−ＤＯ信号処理部３４０およびＥＶ−ＤＯプロトコル処理部３５０（以下、広域通信部という）と、ＷＬＡＮプロトコル処理部３２０およびＥＶ−ＤＯプロトコル処理部３５０ならびに記憶部３６０を接続される制御部３７０とを備えている。
記憶部３６０は、ＳＭＳデータを収容したＳＭＳデータベース（ＤＢ）３６１と、ＳＭＳテンポラリデータを収容したＳＭＳテンポラリデータベース（ＤＢ）３６２と、同一グループに属する通信端末の電話番号（電番）を収容したグループ電番データベース（ＤＢ）３６３とを備えている。なお、発信側の通信端末１６０としては、図２の構成からアンテナ３００、ＷＬＡＮ信号処理部３１０およびＷＬＡＮプロトコル処理部３２０を省略したものを用いることができるが、通信端末１００および通信端末１８０と同一のものを用いてもよい。
【００１４】
制御部３７０は、ＳＭＳ制御部３７１とグループ制御部３７２と、圏外判定部３７３とから成る。ＳＭＳ制御部３７１は、ＳＭＳデータ（着信通知等）の重複を検出するＳＭＳ重複検出部３７４と、ＳＭＳデータの宛先を判断するＳＭＳ宛先判断部３７５と、ＳＭＳデータの転送処理を行うＳＭＳ転送処理部３７６と、ＳＭＳメッセージの処理を行うＳＭＳ処理部３７７とを備えている。グループ制御部３７２は、グループに属する通信端末の電話番号の登録処理を行う電番登録処理部３７８と、グループに属する通信端末の電話番号の交換処理を行う電番交換処理部３７９と、グループに属する通信端末の電話番号の判定処理を行う電番判定処理部３８０とを備えている。
【００１５】
記憶部３６０は、ＳＭＳデータベース３６１、ＳＭＳテンポラリデータベース３６２およびグループ電番データベース３６３や着信情報を含む各種情報を記憶する記憶部として機能するものである。
【００１６】
通信端末１８０において、制御部３７０は、ＷＬＡＮ通信部を介したアドホック通信により通信端末１００から着信情報を受信した際に、受信した着信情報と同一の着信情報が記憶部３６０に格納されていない場合には、新たな着信として当該着信情報に基づく着信通知を行う着信通知部として機能するものである。また、制御部３７０は、ＷＬＡＮ通信部を介したアドホック通信により通信端末１００から着信情報を受信した際に、受信した着信情報と同一の着信情報が記憶部３６０に格納されている場合には、当該アドホック通信により通信端末１００から受信した着信情報を無視する機能を有するものである。
通信端末１００において、制御部３７０は、広域通信部において基地局２００より受信した着信情報が他の通信端末１８０宛の着信情報であった場合、当該着信情報を記憶部３６０に格納し、広域通信部による通信が不可能になった際に、記憶部３６０に他の通信端末宛の着信情報が格納されているか否かを判定し、記憶部３６０に他の通信端末宛の着信情報が格納されていれば、ＷＬＡＮ通信部を介したアドホック通信により他の通信端末のサーチを実行するように制御する制御部として機能するものである。また、制御部３７０は、サーチにより他の通信端末１８０が見つかると、他の通信端末１８０に対し記憶部３６０に格納された通信端末１８０宛の着信情報をＷＬＡＮ通信部を介したアドホック通信により送信する機能を有するものである。また、制御部３７０は、サーチにより他の通信端末１８０が見つかると、他の通信端末１８０の識別情報をＷＬＡＮ通信部を介して取得し、当該取得した識別情報と記憶部３６０に格納された通信端末１８０宛の着信情報に含まれる識別情報とが一致した場合、通信端末１８０に対し記憶部３６０に格納された通信端末１８０宛の着信情報をＷＬＡＮ通信部を介してアドホック通信により送信する機能を有するものである。
【００１７】
なお、アンテナ３００、ＷＬＡＮ信号処理部３１０およびＷＬＡＮプロトコル処理部３２０は、アドホック通信を行うアドホック通信部として機能するものである。なお、他の通信端末から着信通知を受信する通信方式としては、無線ＬＡＮにおいてアクセスポイントを介さずに機器同士が直接通信を行うアドホック通信の他に、「Bluetooth 」や「Felica」のような近距離無線の手法が考えられるが、初期登録や待ち受け設定等が必要無いように、ユーザに通信端末を直接操作する必要を感じさせず、シームレスに通信を行うという点で、ＷＬＡＮアドホック通信が最適である。
上記アンテナ３３０、ＥＶ−ＤＯ信号処理部３４０およびＥＶ−ＤＯプロトコル処理部３５０は、基地局を介して通信を行う広域通信部として機能するものである。
【００１８】
ＳＭＳセンターサーバ２２０としては、図３のブロック図に示す構成のものを用いる。すなわち、ＳＭＳセンターサーバ２２０は、キャリア網２４０に順次接続されるイーサネット（登録商標）（Ethernet（登録商標））信号処理部４００と、イーサネット（登録商標）（Ethernet（登録商標））プロトコル処理部４１０と、制御部４２０と、記憶部４３０とを備えている。
【００１９】
イーサネット（登録商標）（Ethernet（登録商標））信号処理部４００およびイーサネット（登録商標）（Ethernet（登録商標））プロトコル処理部４１０は、呼制御サーバ（ＭＳＣ）２１０より所定の通信端末に対する着信失敗による着信情報を受信する受信部として機能するものである。
【００２０】
制御部４２０は、エリア制御部４４０と、ＳＭＳ制御部４５０と、グループ制御部４６０とを備えている。エリア制御部４４０は、対象とする通信端末がどのエリアに属しているか判定するエリア判定処理部４４１と、対象とする通信端末が属するエリアに関する情報であるエリア情報の情報処理を行うエリア情報処理部４４２とを備えている。ＳＭＳ制御部４５０は、ＳＭＳ処理を行うＳＭＳ処理部４５１と、ＳＭＳを送信するＳＭＳ送信部４５２と、ＳＭＳを受信するＳＭＳ受信部４５３とを備えている。グループ制御部４６０は、対象とする通信端末の電話番号（電番）の登録処理を行う電番登録処理部４６１と、対象とする通信端末の電話番号（電番）の判定処理を行う電番判定処理部４６２とを備えている。
制御部４２０は、呼制御サーバ（ＭＳＣ）２１０より着信情報を受信すると、当該着信情報の宛先通信端末の識別情報が記憶部４３０に記憶されているか否かを判断し、着信情報の宛先通信端末の識別情報が記憶部４３０に記憶されている場合、当該着信情報の宛先通信端末の識別情報が属するグループを構成する他の識別情報に対応する通信端末に対し、当該着信情報を送信するように制御する機能を有するものである。また、上記制御部４２０は、通信端末からの設定により複数の通信端末をグループ化する機能を有するものである。
【００２１】
記憶部４３０は、ＳＭＳデータを収容したＳＭＳデータベース（ＤＢ）４３１と、グループに属する通信端末の電話番号を収容したグループ電番データベース（ＤＢ）４３２とを備えている。記憶部４３０は、複数の通信端末の識別情報をグループとして記憶する記憶部として機能するものである。
【００２２】
図４〜図６は本発明の移動体通信システムに適用可能な基地局、セルおよび通信端末の配置を概念的に示す図である。各図中の六角形のブロックは基地局のセル（電波が届く範囲）を示しており、セルの中央には基地局（図示せず）が設置されている。なお、図４〜図６は、後述するように、ＳＭＳセンターサーバが着信通知のＳＭＳ（以下、ＳＭＳ（着信通知）ともいう）を送信する際の動作が異なっている。
【００２３】
図４に示す例は、「エリア判定」を行わない場合の配置を示しており、１つのセル内に通信端末１０および通信端末２０が存在しており、位置が離れた別のセル内に通信端末３０が存在しており、位置がさらに離れた別のセル内に通信端末４０が存在している。この配置において、通信端末１０が圏外であるときに通信端末１０への呼が発生した場合、通信端末１０以外の全ての通信端末、すなわち、通信端末２０，通信端末３０および通信端末４０に、着信通知をＳＭＳで送信すると、圏外中の通信端末１０からの位置が非常にかけ離れた通信端末である通信端末４０に対してもＳＭＳを送信することになる。通信端末４０から通信端末１０に対して着信情報が渡される可能性が低いため、無駄なＳＭＳを送信することになるだけでなく、ネットワーク側にも負荷を与えることとなる。そこで、図５、図６の配置は「エリア判定」を行うように構成することにより、ネットワーク側の負荷を軽減するようにしている。
【００２４】
キャリア網から通信端末に着信があると、基地局から通信端末にページメッセージ（Page Message）が送出される。このとき、通信端末は、ページメッセージ中にある自分の宛先用のビットを参照して、ビットが立っていれば着信があったと認識する。このページメッセージは特定の基地局からのみ送信されるのではなく、同一グループＩＤを持つグループ化された基地局から同時に送信される。
本発明では、このページメッセージを利用して、宛先の通信端末が登録した基地局と同一グループＩＤを持つ他の基地局に登録した通信端末に対してＳＭＳ（着信通知）を送信するようにしている。以下の図５および図６に示す例では、「エリア判定」をＳＭＳ（着信通知）を送信する判断条件して用いている。
【００２５】
図５に示す例は、１つのセルおよびその周囲の６つのセル（図中に斜線を付けて示す）が同一グループＩＤを有する基地局に対応するセルである場合の配置を示しており、図示例では、あるグループの１つのセル内に通信端末１０および通信端末２０が存在しており、同一グループの位置が離れた別のセル内には通信端末３０が存在しており、異なるグループの位置がさらに離れた別のセル内に通信端末４０が存在している。通信端末１０，通信端末２０，通信端末３０は、個々の通信端末が存在するセル内の基地局においてそれぞれ、登録メッセージ（Registration Massage）に位置登録を行ったものとし、通信端末１０は圏外で、それ以外の通信端末（通信端末２０，通信端末３０および通信端末４０）は圏内であるものとする。
この配置において、圏外中の通信端末１０に着信があると、後述する「エリア判定」に基づいて、通信端末１０が登録（Registration）した基地局と同一の基地局に属する通信端末２０および通信端末３０に対して、ＳＭＳ（着信通知）が送信される。
【００２６】
図６に示す例は、１つのセル（図中に斜線を付けて示す）が同一グループＩＤを有する基地局に対応するセルである場合の配置を示しており、図示例では、あるグループの１つのセル内に通信端末１０および通信端末２０が存在しており、異なるグループの位置が離れた別のセル内には通信端末３０が存在しており、異なるグループの位置がさらに離れた別のセル内に通信端末４０が存在している。通信端末１０および通信端末２０は、これら通信端末が存在するセル内の基地局においてそれぞれ、登録メッセージ（Registration Massage）に位置登録を行ったものとし、通信端末１０は圏外で、それ以外の通信端末（通信端末２０，通信端末３０および通信端末４０）は圏内であるものとする。
この配置において、圏外中の通信端末１０に着信があると、後述する「エリア判定」に基づいて、通信端末１０が登録（Registration）した基地局と同一の基地局に属する通信端末２０に対して、ＳＭＳ（着信通知）が送信される。
【００２７】
次に、図１に示す本発明の移動体通信システムの第１実施形態のネットワーク構成において、通信端末１６０から通信端末１８０へ音声発信を行ったときに、発信通信端末１８０が圏外であるため同一基地局に属する圏内の通信端末１００に「通信端末１６０に対する着信通知のＳＭＳ」を送信する一連の動作について説明する。
【００２８】
［グループ登録］
まず、出会う頻度の高い複数の通信端末をグループ登録する。例えば、通信端末１６０が代表として、グループ（通信端末１００、通信端末１６０、通信端末１８０）を作成する場合には、図７のフローチャートのステップＳ１０１で、通信端末１６０がＳＭＳセンターサーバ２２０へ接続し、次のステップ１０２で、ブラウザ等を用いて、広域通信であるＣＤＭＡ２０００  １ｘ  ＥＶ−ＤＯ通信を使用して、ＨＴＴＰ経由で、電話番号情報（電番情報）をＳＭＳセンターサーバ２２０へ登録するグループ登録を行う。このグループ登録を行う際の通信端末１６０の画面表示を図８に例示する。なお、上記グループ登録による電話番号情報の代わりに、使用頻度の高い電話番号をショートカットとして登録するペア機能等による登録済みの電話番号情報を用いてもよい。
【００２９】
［着信通知動作１］
図９の動作シーケンス図において、通信端末１６０から通信端末１８０へ音声発信を行うと、その音声発信を通知されたＭＳＣ２１０は通信端末１８０に音声着信を実行する。このとき、通信端末１８０は建物の地下にいて圏外であるため、その音声着信は失敗する。この音声着信失敗を通知されたＭＳＣ２１０は、ＳＭＳセンターサーバ２２０へ音声着信があったことを示す着信通知を送信する。
ＳＭＳセンターサーバ２２０は、図１０のフローチャートのステップＳ１１１で、着信通知を受信し、次のステップＳ１１２で、着信通知をＳＭＳデータベース４３１に保存する。次のステップＳ１１３では、着信通知の宛先の電話番号情報を確認して、同一エリア内に通信端末１８０と同一のグループに属する通信端末が存在するか否かを調査する。
【００３０】
このステップＳ１１３の調査において、ＳＭＳセンターサーバ２２０は、通信端末１８０と同一グループに属する通信端末である通信端末１００を同一エリア内で発見した場合には、ステップＳ１１４に進んでＳＭＳ（着信通知）を通信端末１００に送信し、通信端末１８０と同一グループに属する通信端末を同一エリア内で発見しなかった場合には、ＳＭＳ（着信通知）をＳＭＳデータベース３６１から削除する。
【００３１】
ＳＭＳ（着信通知）を送信された通信端末１００は、図１１のフローチャートのステップＳ１２１でＳＭＳ（着信通知）を受信する。その際、ＳＭＳ（着信通知）を通信端末１００の記憶部３６０のＳＭＳデータベース３６１に保存した後、ＳＭＳセンターサーバ２２０に「ＳＭＳ  ＡＣＫ」を返送する。次のステップＳ１２２では、ＳＭＳ（着信通知）の宛先の電話番号情報を見て、宛先が自分宛であるか同一グループの通信端末宛であるかを調査する。この調査において、当該ＳＭＳ（着信通知）が自分宛ではなく同一グループの通信端末宛であれば、ステップＳ１２２のＮｏからステップＳ１２３に進んで、宛先が同一グループの通信端末宛であるか否かを調査し、当該ＳＭＳ（着信通知）が自分宛であれば、ステップＳ１２２のＹｅｓからステップＳ１２４に進んで通常のＳＭＳ受信を行う。ステップＳ１２３の調査において、宛先が同一グループの通信端末宛であれば、ステップＳ１２５に進んで、自分宛のＳＭＳを保存するＳＭＳデータベース３６１は別に設けたＳＭＳテンポラリデータベース３６２にＳＭＳ（着信通知）を保存する。なお、ステップＳ１２３の調査において、宛先が同一グループの通信端末宛でなければ、他のグループの通信端末宛であるため、そのまま終了する。
【００３２】
その後、通信端末１００は、圏外になると、図９に示すように、一定周期で上記ＳＭＳ（着信通知）の宛先の通信端末を探すためにＷＬＡＮアドホックサーチを行う。
具体的には、図１２のフローチャートのステップＳ１３１で通信端末１００が圏外中であることが検出された場合には、ステップＳ１３２に進んで上記ＳＭＳ（着信通知）の宛先の通信端末を探すためにＷＬＡＮアドホックサーチを行い、通信端末１００が圏内中であればそのまま終了する。このＷＬＡＮアドホックサーチによって上記ＳＭＳ（着信通知）の宛先の通信端末である通信端末１８０が見つかった場合には、ステップＳ１３３のＹｅｓからステップＳ１３４に進んで上記ＳＭＳ（着信通知）の宛先の通信端末との間で互いの電話番号情報を交換し、上記ＳＭＳ（着信通知）の宛先の通信端末が見つからなかった場合には、そのまま終了する。
【００３３】
次のステップＳ１３５では、通信端末１００が受信したＳＭＳ（着信通知）に設定した有効時間（例えば３時間）が経過した（タイムアウトした）か否かを判定し、Ｙｅｓ（タイムアウト）であればそのまま終了し、Ｎｏ（有効時間内）であればステップＳ１３６に進む。ステップＳ１３６では、ＳＭＳテンポラリデータベース３６２に上記交換で得た電話番号情報と同一電番宛のＳＭＳ（着信通知）が保存されているか否かを判定し、保存されていたらステップＳ１３７に進み、保存されていない場合にはそのまま終了する。ステップＳ１３７では、ＷＬＡＮアドホック通信経由でＳＭＳ（着信通知）を通信端末１８０に送信し、次のステップＳ１３８では、ＳＭＳ（着信通知）を通信端末１００の記憶部３６０のＳＭＳテンポラリデータベース３６２から削除する。
【００３４】
上記ステップＳ１３７でＳＭＳ（着信通知）を送信された通信端末１８０は、図１３のフローチャートのステップＳ１４１で自分宛のＳＭＳ（着信通知）を受信した後、次のステップＳ１４２で、受信したＳＭＳ（着信通知）が自通信端末の記憶部３６０のＳＭＳデータベース３６１に保存されているＳＭＳ（着信通知）と重複しているか否かを判定し、重複していればステップＳ１４３に進んで当該ＳＭＳ（着信通知）を削除し、重複していなければステップＳ１４４に進んで当該ＳＭＳ（着信通知）に基づいて着信があったことを着信履歴に表示する。なお、ＳＭＳ（着信通知）の重複しているか否かの判定は、ＳＭＳ内にある時刻情報（タイムスタンプ）および通信端末識別情報に基づいて行うものとする。
上記ＳＭＳ（着信通知）の宛先の通信端末である通信端末１８０が同一グループに属する通信端末である通信端末１００経由で上記ＳＭＳ（着信通知）を受信したとき、通信端末１８０が圏外中かどうかが分からない場合がある。そこで、図１４に例示するような「電波状態の良い場所への通信端末の移動を促すメッセージ」を画面表示するようにしてもよい。
【００３５】
図９の動作シーケンス図および図１５のフローチャートのステップＳ１５１に示すように、上記ＳＭＳ（着信通知）を受信した通信端末１８０が地上に移動して圏内復帰すると、ＭＳＣ２１０がその圏内復帰を検出してＳＭＳセンターサーバ２２０にＳＭＳ送信指示を送出する。
このＳＭＳ送信指示を受信したＳＭＳセンターサーバ２２０は、図１５のステップＳ１５２でＳＭＳデータベース４３１に保存されている上記ＳＭＳ（着信通知）を取り出した後、ステップＳ１５３で、通信端末１８０に上記ＳＭＳ（着信通知）を送信する。このＳＭＳ（着信通知）を受信した通信端末１８０は、ＳＭＳデータベース３６１に保存されているＳＭＳ（着信通知）と重複しているためこのＳＭＳ（着信通知）を無視するとともに、ＳＭＳセンターサーバ２２０に「ＳＭＳ  ＡＣＫ」を送信する。ＳＭＳセンターサーバ２２０は、ステップＳ１５４で上記「ＳＭＳ  ＡＣＫ」を受信した場合、ステップＳ１５６で上記ＳＭＳ（着信通知）をＳＭＳデータベース４３１から削除する。なお、ステップＳ１５４で上記「ＳＭＳ  ＡＣＫ」を受信できなかった場合、ステップＳ１５４のＮｏ−ステップＳ１５６のＹｅｓ−ステップＳ１５３−ステップＳ１５４のＮｏ−ステップＳ１５６のループをＮ回繰り返し、Ｎ回繰り返しても上記「ＳＭＳ  ＡＣＫ」を受信できなかった場合には、そのまま終了する。
【００３６】
次に、本発明の「着信通知動作１」の作用を図１、図１６、図１７に基づいて説明する。
本発明では、予め複数の通信端末（上記第１実施形態では、通信端末１００、通信端末１６０、通信端末１８０）でグループを作成してキャリア網２４０側のＳＭＳセンターサーバ２２０に登録しておく。
このグループ登録が完了した状態において、図１６に示すように、そのグループに属するＢＳ２００の圏外の通信端末１８０宛に着信があったときに、通信端末１８０以外の同一グループに属する通信端末である通信端末１００が周辺にいて圏内であるため、ＳＭＳセンターサーバ２２０よりＳＭＳ（着信通知）が通信端末１００に送信される。
このＳＭＳ（着信通知）を受信した通信端末１００は、当該ＳＭＳ（着信通知）を一旦自分の記憶部３６０のＳＭＳテンポラリデータベース３６２に保存しておき、図１７に示すように、ＢＳ２００の圏外に移動したときに、自分の周辺に上記ＳＭＳ（着信通知）の宛先の通信端末である通信端末１８０がいるかいないかを調査するためにＷＬＡＮアドホックサーチを行い、探していた通信端末１８０が見つかった場合には、図１に示すように、ＷＬＡＮアドホック通信で、保存しておいたＳＭＳ（着信通知）を通信端末１８０に送信（転送）することによって、圏外中の通信端末１８０に対する着信通知を可能な限りリアルタイムに伝達する。
【００３７】
本発明の「着信通知動作１」によれば、着信情報であるＳＭＳ（着信通知）を受信したＳＭＳセンターサーバ２２０から同一グループに属する通信端末１００経由で圏外中の通信端末１８０に当該ＳＭＳ（着信通知）を送信（転送）することにより、圏外中の通信端末１８０に対する着信情報を可能な限りリアルタイムに伝達することができる。したがって、圏外中の通信端末において広域通信（キャリアの通信インフラ）を使用せずに着信通知の取得が可能となるため、通信端末のユーザが圏内へ戻る頻度が低減される。さらに、通信端末１８０のユーザが圏外中であることに気付かない場合においても、ＷＬＡＮアドホック通信経由で着信通知があった場合には、図１４に示すような「電波状態の良い場所への通信端末の移動を促すメッセージ」などを画面表示することにより、ユーザビリティの向上が期待できる。
【００３８】
［着信通知動作２］
図１の移動体通信システムにおいて、通信端末１００に通信端末１８０の着信通知をＳＭＳで送信した後、通信端末１８０が圏内復帰した場合を示す図１８の動作シーケンス図において、通信端末１６０から通信端末１８０へ音声発信を行うと、その音声発信を通知されたＭＳＣ２１０は通信端末１８０に音声着信を実行する。このとき、通信端末１８０は建物の地下にいて圏外であるため、その音声着信は失敗する。この音声着信失敗を通知されたＭＳＣ２１０は、ＳＭＳセンターサーバ２２０へ音声着信があったことを示す着信通知を送信する。
ＳＭＳセンターサーバ２２０は、図１０のフローチャートのステップＳ１１１で、着信通知を受信し、次のステップＳ１１２で、着信通知をＳＭＳデータベース４３１に保存する。次のステップＳ１１３では、着信通知の宛先の電話番号情報を確認して、同一エリア内に通信端末１８０と同一のグループに属する通信端末が存在するか否かを調査する。
【００３９】
このステップＳ１１３の調査において、ＳＭＳセンターサーバ２２０は、通信端末１８０と同一グループに属する通信端末である通信端末１００を同一エリア内で発見した場合には、ステップＳ１１４に進んでＳＭＳ（着信通知）を通信端末１００に送信し、通信端末１８０と同一グループに属する通信端末を同一エリア内で発見しなかった場合には、ＳＭＳ（着信通知）をＳＭＳデータベース３６１から削除する。
【００４０】
ＳＭＳ（着信通知）を送信された通信端末１００は、図１１のフローチャートのステップＳ１２１でＳＭＳ（着信通知）を受信する。その際、ＳＭＳ（着信通知）を通信端末１００の記憶部３６０のＳＭＳデータベース３６１に保存した後、ＳＭＳセンターサーバ２２０に「ＳＭＳ  ＡＣＫ」を返送する。次のステップＳ１２２では、ＳＭＳ（着信通知）の宛先の電話番号情報を見て、宛先が自分宛であるか同一グループの通信端末宛であるかを調査する。この調査において、当該ＳＭＳ（着信通知）が自分宛ではなく同一グループの通信端末宛であれば、ステップＳ１２２のＮｏからステップＳ１２３に進んで、宛先が同一グループの通信端末宛であるか否かを調査し、当該ＳＭＳ（着信通知）が自分宛であれば、ステップＳ１２２のＹｅｓからステップＳ１２４に進んで通常のＳＭＳ受信を行う。ステップＳ１２３の調査において、宛先が同一グループの通信端末宛であれば、ステップＳ１２５に進んで、自分宛のＳＭＳを保存するＳＭＳデータベース３６１は別に設けたＳＭＳテンポラリデータベース３６２にＳＭＳ（着信通知）を保存する。なお、ステップＳ１２３の調査において、宛先が同一グループの通信端末宛でなければ、他のグループの通信端末宛であるため、そのまま終了する。
【００４１】
その後、通信端末１８０が地上に移動して圏内復帰すると、ＭＳＣ２１０がその圏内復帰を検出してＳＭＳセンターサーバ２２０にＳＭＳ送信指示を送出する。
このＳＭＳ送信指示を受信したＳＭＳセンターサーバ２２０は、図１５のステップＳ１５２でＳＭＳデータベース４３１に保存されている上記ＳＭＳ（着信通知）を取り出した後、ステップＳ１５３で、通信端末１８０に上記ＳＭＳ（着信通知）を送信する。このＳＭＳ（着信通知）を受信した通信端末１８０は、当該ＳＭＳ（着信通知）に基づいて着信があったことを着信履歴に表示する。
【００４２】
一方、通信端末１８０宛のＳＭＳ（着信通知）を保存している通信端末１００は、「通信端末１８０が圏内復帰したことを知る術」が無いため、地下に移動して圏外になったことをトリガとして、図１８および図１２のステップＳ１３１−ステップＳ１３２に示すように、上記ＳＭＳ（着信通知）の宛先の通信端末を探すためにＷＬＡＮアドホックサーチを行う。このＷＬＡＮアドホックサーチによって上記ＳＭＳ（着信通知）の宛先の通信端末である通信端末１８０が見つかった場合には、ステップＳ１３３のＹｅｓからステップＳ１３４に進んで上記ＳＭＳ（着信通知）の宛先の通信端末との間で互いの電話番号情報を交換し、上記ＳＭＳ（着信通知）の宛先の通信端末が見つからなかった場合には、そのまま終了する。
【００４３】
次のステップＳ１３５では、通信端末１００が受信したＳＭＳ（着信通知）に設定した有効時間（例えば３時間）が経過した（タイムアウトした）か否かを判定し、Ｙｅｓ（タイムアウト）であればそのまま終了し、Ｎｏ（有効時間内）であればステップＳ１３６に進む。ステップＳ１３６では、ＳＭＳテンポラリデータベース３６２に上記交換で得た電話番号情報と同一電番宛のＳＭＳ（着信通知）が保存されているか否かを判定し、保存されていたらステップＳ１３７に進み、保存されていなかった場合には、そのまま終了する。ステップＳ１３７では、ＷＬＡＮアドホック通信経由でＳＭＳ（着信通知）を通信端末１８０に送信し、次のステップＳ１３８では、ＳＭＳ（着信通知）を通信端末１００の記憶部３６０のＳＭＳテンポラリデータベース３６２から削除する。
【００４４】
上記ステップＳ１３７でＳＭＳ（着信通知）を送信された通信端末１８０は、図１３のフローチャートのステップＳ１４１で自分宛のＳＭＳ（着信通知）を受信した後、次のステップＳ１４２で、受信したＳＭＳ（着信通知）が自通信端末の記憶部３６０のＳＭＳデータベース３６１に保存されているＳＭＳ（着信通知）と重複しているか否かを判定し、重複してるのでステップＳ１４３に進んで当該ＳＭＳ（着信通知）を無視する。なお、ＳＭＳ（着信通知）の重複しているか否かの判定は、ＳＭＳ内にある時刻情報（タイムスタンプ）および通信端末識別情報に基づいて行うものとする。
【００４５】
本発明の「着信通知動作２」によれば、着信情報であるＳＭＳ（着信通知）を受信したＳＭＳセンターサーバ２２０から同一グループに属する通信端末１００経由で圏外中の通信端末１８０に当該ＳＭＳ（着信通知）を送信（転送）することにより、圏外中の通信端末１８０に対する着信情報を可能な限りリアルタイムに伝達することができる。したがって、圏外中の通信端末において広域通信（キャリアの通信インフラ）を使用せずに着信通知の取得が可能となるため、通信端末のユーザが圏内へ戻る頻度が低減される。さらに、通信端末１８０のユーザが圏外中であることに気付かない場合においても、ＷＬＡＮアドホック通信経由で着信通知があった場合には、図１４に示すような「電波状態の良い場所への通信端末の移動を促すメッセージ」などを画面表示することにより、ユーザビリティの向上が期待できる。
【００４６】
［着信通知動作３］
図１の移動体通信システムにおいて、通信端末１８０宛ＳＭＳ（着信通知）を同一グループの他の通信端末もＳＭＳ受信できない状態の場合を示す図１８の動作シーケンス図において、通信端末１６０から通信端末１８０へ音声発信を行うと、その音声発信を通知されたＭＳＣ２１０は通信端末１８０に音声着信を実行する。このとき、通信端末１８０は建物の地下にいて圏外であるため、その音声着信は失敗する。この音声着信失敗を通知されたＭＳＣ２１０は、ＳＭＳセンターサーバ２２０へ音声着信があったことを示す着信通知を送信する。
ＳＭＳセンターサーバ２２０は、図１０のフローチャートのステップＳ１１１で、着信通知を受信し、次のステップＳ１１２で、着信通知をＳＭＳデータベース４３１に保存する。次のステップＳ１１３では、着信通知の宛先の電話番号情報を確認して、同一エリア内に通信端末１８０と同一のグループに属する通信端末が存在するか否かを調査する。このとき、宛先の通信端末である通信端末１８０以外のＳＭＳ受信できる同一グループに属する通信端末がエリア内で見つからなければ、一定周期毎に通信端末を検索する。この検索によりＳＭＳ受信できる同一グループに属する通信端末がエリア内で見つかった場合、および、通信端末１８０が圏内復帰した場合は、以後の動作は上記着信通知動作１と同一であるため、説明を省略する。
【００４７】
本発明の「着信通知動作３」によれば、着信情報であるＳＭＳ（着信通知）を受信したＳＭＳセンターサーバ２２０から同一グループに属する通信端末１００経由で圏外中の通信端末１８０に当該ＳＭＳ（着信通知）を送信（転送）することにより、圏外中の通信端末１８０に対する着信情報を可能な限りリアルタイムに伝達することができる。したがって、圏外中の通信端末において広域通信（キャリアの通信インフラ）を使用せずに着信通知の取得が可能となるため、通信端末のユーザが圏内へ戻る頻度が低減される。さらに、通信端末１８０のユーザが圏外中であることに気付かない場合においても、ＷＬＡＮアドホック通信経由で着信通知があった場合には、図１４に示すような「電波状態の良い場所への通信端末の移動を促すメッセージ」などを画面表示することにより、ユーザビリティの向上が期待できる。
【図面の簡単な説明】
【００４８】
【図１】本発明の第１実施形態の移動体通信システムのネットワーク構成を例示するブロック図である。
【図２】第１実施形態の移動体通信システムにおける通信端末の構成を例示するブロック図である。
【図３】第１実施形態の移動体通信システムにおけるＳＭＳセンターサーバの構成を例示するブロック図である。
【図４】本発明の移動体通信システムに適用可能な基地局、セルおよび通信端末の配置を概念的に示す図である。
【図５】本発明の移動体通信システムに適用可能な基地局、セルおよび通信端末の配置を概念的に示す図である。
【図６】本発明の移動体通信システムに適用可能な基地局、セルおよび通信端末の配置を概念的に示す図である。
【図７】第１実施形態の移動体通信システムにおいて通信端末が実施するグループ登録を示すフローチャートである。
【図８】第１実施形態の移動体通信システムにおいてグループ登録を行う際の通信端末の画面表示を例示する図である。
【図９】第１実施形態の移動体通信システムにおける着信通知動作１を示す動作シーケンス図である。
【図１０】第１実施形態の移動体通信システムにおけるＳＭＳセンターサーバによる着信通知の送受信処理を示すフローチャートである。
【図１１】第１実施形態の移動体通信システムにおける通信端末による他の通信端末宛の着信通知の受信処理を示すフローチャートである。
【図１２】第１実施形態の移動体通信システムにおける通信端末による他の通信端末宛の着信通知の送信処理を示すフローチャートである。
【図１３】第１実施形態の移動体通信システムにおける通信端末による自通信端末宛の着信通知の受信処理を示すフローチャートである。
【図１４】第１実施形態の移動体通信システムにおいて圏外中の通信端末に画面表示する「電波状態の良い場所への通信端末の移動を促すメッセージ」を例示する図である。
【図１５】第１実施形態の移動体通信システムにおけるＳＭＳセンターサーバによる圏内復帰した通信端末に対する着信通知の送信処理を示すフローチャートである。
【図１６】本発明の着信通知動作１の作用を説明するための図である。
【図１７】本発明の着信通知動作１の作用を説明するための図である。
【図１８】第１実施形態の移動体通信システムにおける着信通知動作２を示す動作シーケンス図である。
【図１９】第１実施形態の移動体通信システムにおける着信通知動作３を示す動作シーケンス図である。
【図２０】移動体通信システムにおける圏外中の通信端末への着信通知動作を説明するための図である。
【図２１】移動体通信システムにおける圏外中の通信端末への着信通知動作を説明するための図である。
【図２２】移動体通信システムにおける圏外中の通信端末への着信通知動作を説明するための動作シーケンス図である。
【符号の説明】
【００４９】
１００  通信端末（着信の宛先通信端末）
１６０  通信端末（発信側通信端末）
１８０  通信端末（宛先通信端末と同一グループに属する通信端末）
１９０，２００  基地局（ＢＳ）
２１０  呼制御サーバ（ＭＳＣ）
２２０  ＳＭＳセンターサーバ
２３０  ロケーションサーバ（ＬＳ）
２４０  キャリア網
３００，３３０  アンテナ
３１０  ＷＬＡＮ信号処理部
３２０  ＷＬＡＮプロトコル処理部
３４０  ＥＶ−ＤＯ信号処理部
３５０  ＥＶ−ＤＯプロトコル処理部
３６０  記憶部
３６１  ＳＭＳデータベース（ＤＢ）
３６２  ＳＭＳテンポラリデータベース（ＤＢ）
３６３  グループ電番データベース（ＤＢ）
３７０  制御部
３７１  ＳＭＳ制御部
３７２  グループ制御部
３７３  圏外判定部
３７４  ＳＭＳ重複検出部
３７５  ＳＭＳ宛先判断部
３７６  ＳＭＳ転送処理部
３７７  ＳＭＳ処理部
３７８  電番登録処理部
３７９  電番交換処理部
３８０  電番判定処理部
４００  イーサネット（登録商標）（Ethernet（登録商標））信号処理部
４１０  イーサネット（登録商標）（Ethernet（登録商標））プロトコル処理部
４２０  制御部
４３０  記憶部
４３１  ＳＭＳデータベース（ＤＢ）
４３２  グループ電番データベース（ＤＢ）
４４０  エリア制御部
４４１  エリア判定処理部
４４２  エリア情報処理部
４５０  ＳＭＳ制御部
４５１  ＳＭＳ処理部
４５２  ＳＭＳ送信部
４５３  ＳＭＳ受信部
４６０  グループ制御部
４６１  電番登録処理部
４６２  電番判定処理部
【図１】
2009111778.tif 000003
【図２】
2009111778.tif 000004
【図３】
2009111778.tif 000005
【図４】
2009111778.tif 000006
【図５】
2009111778.tif 000007
【図６】
2009111778.tif 000008
【図７】
2009111778.tif 000009
【図８】
2009111778.tif 000010
【図９】
2009111778.tif 000011
【図１０】
2009111778.tif 000012
【図１１】
2009111778.tif 000013
【図１２】
2009111778.tif 000014
【図１３】
2009111778.tif 000015
【図１４】
2009111778.tif 000016
【図１５】
2009111778.tif 000017
【図１６】
2009111778.tif 000018
【図１７】
2009111778.tif 000019
【図１８】
2009111778.tif 000020
【図１９】
2009111778.tif 000021
【図２０】
2009111778.tif 000022
【図２１】
2009111778.tif 000023
【図２２】
2009111778.tif 000024